(57)【特許請求の範囲】
【請求項１】
出窓サッシの下枠と、浴槽を載置させるための浴槽パンとが出窓パネルで連結され、この出窓パネルによって浴槽の出窓側部分が覆われている出窓付き浴室であって、上記の下枠の浴室内に面する側面部に、浴室内に外側面を臨ませて断面コの字形のアタッチメント部材が取付金具で設けられ、この取付金具が、上記側面部の下部の浴室外に向かって直角に屈曲された下部コーナー位置に、直角状の内面を浴室外に向けて係合される断面Ｌ字形の本体部と、この本体部から浴室内に向かって直角に屈曲されて取付時に水平状に配置され、アタッチメント部材の浴室外に向かって直角に屈曲された下部を、下方から挿し込まれる螺子で締着させるための突き出し片とで形成され、上記のアタッチメント部材の下部と出窓パネルの浴室外に向かって直角に屈曲された上部とが上記の螺子で連結されていることを特徴とする出窓付き浴室。
【請求項２】
出窓サッシの下枠と、浴槽を載置させるための浴槽パンとが出窓パネルで連結され、この出窓パネルによって浴槽の出窓側部分が覆われている出窓付き浴室であって、上記の下枠の浴室内に面する側面部に、上記浴槽の腰掛部に腰掛けた入浴者の背や頭部を支承するための壁板状のバックサポート部材が垂直状に設けられ、このバックサポート部材の下端部の下面と出窓パネルの浴室外に向かって直角に屈曲された上部とが接続されていることを特徴とする出窓付き浴室。
【請求項３】
請求項２記載の出窓付き浴室であって、バックサポート部材の上端部と出窓サッシの下枠の接合位置で、下枠の浴室内に面する側面部の上部の浴室内に向かって直角に形成された位置に、断面凹形の杆状に形成された水漏れ防止用部材が溝を下向きにした状態で上記の直角に形成された位置に接して設けられ、この水漏れ防止用部材にバックサポート部材の上端部が嵌合されてバックサポート部材が設けられていることを特徴とする出窓付き浴室。
【発明の詳細な説明】
【０００１】
【発明の属する技術分野】
本発明は、出窓付き浴室に関し、更に詳しくは出窓サッシの下枠と出窓パネルとの接合部を改良した出窓付き浴室に関するものである。
【０００２】
【従来の技術】
従来この種の浴室としては、出窓サッシの下枠と、浴槽を載置させるための浴槽パンとを出窓パネルで連結し、この出窓パネルが浴槽の出窓側部分を覆っているものがある（例えば特開２０００ー１５７４４０号公報等参照）。
【０００３】
【発明が解決しようとする課題】
ところでこの種の浴室は、出窓サッシの下枠と、出窓パネルとを連結させる場合、従来は出窓サッシの下枠に螺子で出窓パネルの上部を直接止め付けるのが通例であった。
従って従来のこの種浴室の場合は、出窓の下枠に螺子が露出したから、体裁が悪かっただけではなく、この箇所から水漏れする惧れがあった。
【０００４】
又従来は、上記の通り、出窓パネルの上部と出窓サッシの下枠とを直接連結させる構造であった。この場合、出窓パネルは、浴槽の出窓側部分を覆い、出窓サッシと協働して出窓を形成するものであり、その性質上、浴槽や浴室壁面との意匠性については特に考慮されていないのが通例である。
従って従来のこの種の浴室にあっては、出窓パネルの上部が浴室内に露見する分、出窓側のサッシ下枠部分の体裁が悪くなり、ひいては浴室全体の美観を損なわせることにもなる、という問題があった。
【０００５】
本発明は、このような従来の問題に鑑み、出窓サッシの下枠と、出窓パネルの上部とを連結するための螺子の露出を防止し、又出窓側の意匠性を向上できるよう形成した出窓付き浴室を、提供しようとするものである。
【０００６】
又この種の浴室の場合、浴槽が腰掛部を備え、出窓側に背を向けて座る状態に浴槽が配置されていると、腰掛部の後方が出窓の張り出し空間になるため、入浴者は頭部の支えがなく、不安定な姿勢で入浴することを避けられない。
【０００７】
本発明は、このような従来の実情に鑑み、出窓側に背を向けて半身浴する場合、入浴者の頭部や背を支承でき、快適に入浴できると共に、出窓側の意匠性を向上できるよう形成した出窓付き浴室を、併せて提供しようとするものである。
【０００８】
【課題を解決するための手段】
本発明は、上記の課題を解決するために、次のような技術的手段を採る。
【０００９】
即ち本発明は、例えば図１、図４等に示されるように、出窓サッシ１の下枠２と、浴槽５を載置させるための浴槽パン６とが出窓パネル８で連結され、この出窓パネル８によって浴槽５の出窓側部分が覆われている出窓付き浴室であって、上記の下枠２の浴室内に面する側面部２ａに、浴室内に外側面１０ａを臨ませて断面コの字形のアタッチメント部材１０が取付金具１１で設けられ、この取付金具１１が、上記側面部２ａの下部の浴室外に向かって直角に屈曲された下部コーナー位置２ｂに、直角状の内面を浴室外に向けて係合される断面Ｌ字形の本体部１１ａと、この本体部１１ａから浴室内に向かって直角に屈曲されて取付時に水平状に配置され、アタッチメント部材１０の浴室外に向かって直角に屈曲された下部を、下方から挿し込まれる螺子１３で締着させるための突き出し片１１ｂとで形成され、上記のアタッチメント部材１０の下部と出窓パネル８の浴室外に向かって直角に屈曲された上部８ａとが上記の螺子１３で連結されていることを特徴とするものがある（請求項１）。
【００１０】
アタッチメント部材１０は、例えば合成樹脂材や金属材等で形成され、浴室内に臨む外側面１０ａは浴槽５や浴室壁面と意匠上、調和を得られるよう印刷等の手段で装飾されているのが好ましい。この本発明の場合は、一個の取付金具１１で簡単且つ確実にアタッチメント部材１０を出窓サッシ１の下枠２に固定できるものである。なおここで、出窓パネル８で連結され、とは、下枠２と浴槽パン６とが、浴槽パン６と別個に形成されている出窓パネル８で連結される場合のほか、浴槽パン６の延長部分として浴槽パン６と一体状に形成されている出窓パネル８によって連結される場合も含まれる。この後者の場合は、前者の場合に比べ、出窓パネル８と浴槽パン６との接続作業が不要であるから、作業の手間暇を軽減でき、接続箇所からの水漏れ事故を一掃できる。
【００１１】
又第二の課題を達成する本発明としては、例えば図８等に示されるように、出窓サッシ１の下枠２と、浴槽５を載置させるための浴槽パン６とが出窓パネル８で連結され、この出窓パネル８によって浴槽５の出窓側部分が覆われている出窓付き浴室であって、上記の下枠２の浴室内に面する側面部２ａに、上記浴槽５の腰掛部５ｂに腰掛けた入浴者の背や頭部を支承するための壁板状のバックサポート部材１９が垂直状に設けられ、このバックサポート部材１９の下端部１９ａの下面と出窓パネル８の浴室外に向かって直角に屈曲された上部８ａとが接続されていることを特徴とするものがある（請求項２）。
【００１２】
この本発明の場合、バックサポート部材１９の材質や厚さ、縦方向の長さ等は、適宜選定されるので良い。又このバックサポート部材１９は、例えば浴室の壁パネルと同一に形成され、浴室壁面や浴槽５と意匠上、調和や整合性を得られるよう、表面が装飾されているのが好ましい。
【００１３】
又この本発明の場合は、バックサポート部材１９の上端部１９ｂと出窓サッシ１の下枠２の接合位置で、下枠２の浴室内に面する側面部２ａの上部の浴室内に向かって直角に形成された位置に、断面凹形の杆状に形成された水漏れ防止用部材２０が溝を下向きにした状態で上記の直角に形成された位置に接して設けられ、この水漏れ防止用部材２０にバックサポート部材１９の上端部１９ｂが嵌合されてバックサポート部材１９が設けられているのが好ましい（請求項３）。
【００１４】
なぜならこれによると、上記の接合位置における水漏れを防止できるからである。又これによると、バックサポート部材１９の上端部１９ｂに水漏れ防止用部材２０を迅速にセットでき、又出窓サッシ１の下枠２にフィットするため、作業が容易になるだけではなく、水漏れを一層確実に防止できるからである。
【００１５】
【発明の実施の形態】
以下、本発明の好適な一実施形態を添付図面に従って説明する。
図１等において、１は例えばアルミニウム製の出窓サッシである。２は、この出窓サッシ１の下枠である。この下枠２には、引き違い戸３を案内するレール４が一体成形されている。５は浴槽であり、６はこの浴槽５を載置させるための浴槽パンである。浴槽５は、この実施形態ではフランジ５ａから立下げられて凹段差状に形成された腰掛部５ｂを備え、この腰掛部５ｂを土台７の上方に配置させて据え付けられている。なおこの実施形態の浴槽５は、自動洗浄機能を有しており、浴槽５の底面に洗浄ノズルが配置されている。又この浴槽５は、フランジ５ａの裏側に洗剤タンクが取り付けられ、エプロン内側の洗浄水混合部で洗浄水が混合され、底面の洗浄ノズルから洗浄水が噴出可能に形成されている。
【００１６】
上記の出窓サッシ１の下枠２と、浴槽パン６とは、出窓パネル８で連結され、この出窓パネル８によって浴槽５は出窓側部分が覆われている。なお９は、出窓パネル８の水平部分と浴槽５の腰掛部５ｂの下面との間に配置されたスペーサ部材である。出窓サッシ１の下枠２の浴室内に面する側面部２ａには、図１、図４等に示されるように、浴室内に外側面１０ａを臨ませてアタッチメント部材１０が取付金具１１で設けられている。このアタッチメント部材１０の外側面１０ａは装飾され、浴槽５や浴室の壁面と色彩や模様等の面で調和や整合性を得られるよう形成されている。出窓パネル８の上部８ａは、図４に示されるように、この実施形態では、アタッチメント部材１０に螺子１２で連結され、下部８ｂ（図１参照）は浴槽パン６の立上がり部６ａに接続されている。
【００１７】
上記の取付金具１１は、図４、図５等に示されるように、出窓サッシ１の下枠２の浴室内側の下部コーナー位置２ｂに係合される断面Ｌ字形の本体部１１ａと、この本体部１１ａから屈曲形成されて取付時に水平状に配置され、アタッチメント部材１０の下部を螺子１３で締着させるための突き出し片１１ｂとで形成されている。本体部１１ａと突き出し片１１ｂには、所定位置に螺子孔１１ａ1、１１ｂ1が形成されている。本体部１１ａは、螺子孔１１ａ1を介して下枠２に螺子１４で固定される。又螺子孔１１ｂ1は、アタッチメント部材１０の下部を、突き出し片１１ｂに上記の螺子１３で締着させるために使用される。
【００１８】
又上記の出窓パネル８は、図１等に示されるように、浴槽５の側壁と対向する位置に、浴槽５を屋外から点検するための点検口１５が形成されている。この点検口１５は、この実施形態では方形状に形成され、常時は蓋１６で閉塞されている。１７は、給湯管や湯水の戻し管等の配管設備である。この配管設備１７は、出窓パネル８を介して浴槽５の周りに講じられ、浴槽５の側壁のノズルや浴室内の水栓等に接続されている。
【００１９】
又１８は、出窓パネル８を覆うためのカバーである。このカバー１８は、出窓サッシ１の下枠２の下方に設けられている。このカバー１８は、この実施形態では前面部１８ａが開放自在に形成されている。
【００２０】
而して点検作業時は、カバー１８の前面部１８ａが外され、次に点検口１５の蓋１６が取り外される。作業者は、点検口１５を介して屋外から配管設備１７の浴槽５との接続箇所を点検したり、或いは腰掛部５ｂの下側に配置されているスペーサ部材９を正しい位置に配置し直す。点検作業後は、蓋１６で点検口１５を塞ぎ、その後、カバー１８の前面部１８ａを元通り取り付ける。
【００２１】
次に請求項２記載の本発明の好適な一実施形態を、図８〜図１０に従って説明する。上例と同一部材、同一箇所には、同一の符号を付し、詳しい説明は省略する。
【００２２】
この本発明は、上例と同様、出窓サッシ１の下枠２と、浴槽５を載置させるための浴槽パン６（図１等参照）とが出窓パネル８で連結され、この出窓パネル８によって浴槽５の出窓側部分が覆われている。
【００２３】
１９は、浴槽５の腰掛部５ｂに腰掛けた入浴者の背や頭部を支承するためのバックサポート部材である。このバックサポート部材１９は、出窓サッシ１の下枠２の浴室内に面する側面部２ａに設けられている。又このバックサポート部材１９は、この実施形態では壁板状に形成され、浴室の壁面と意匠上の整合性を得られるよう、同一材質によって色彩や模様等が同一に形成されている。出窓パネル８の上部８ａは、このバックサポート部材１９の下端部１９ａに接続されている。
【００２４】
又２０は、水漏れ防止用部材である。この水漏れ防止用部材２０は、バックサポート部材１９の上端部１９ｂと出窓サッシ１の下枠２の接合位置に設けられている。又水漏れ防止用部材２０は、この実施形態では図１０に示されるように、断面凹形の杆状に形成され、バックサポート部材１９の上端部１９ｂに嵌合自在に形成されている。
【００２５】
而してこの本発明の場合は、図９に示されるように、作業者は水漏れ防止用部材２０をバックサポート部材１９の上端部１９ｂに嵌め付け、出窓サッシ１の下枠２の浴室内に面する側面部２ａに、例えば螺子２１で止め付ける。又作業者は、バックサポート部材１９の下端部１９ａに、出窓パネル８の上部８ａを接続させ、バックサポート部材１９と水漏れ防止用部材２０の接合部等の隙間に、コーキング剤２２（図８参照）を塗布する。又浴槽５のフランジ５ａをバックサポート部材１９の表面の下部にあてがって浴槽５を据え付け、接合部にコーキング剤２２を塗布する。
【００２６】
【発明の効果】
以上説明したように本発明は、アタッチメント部材に出窓パネルの上部を螺子止めさせるものであるから、このアタッチメント部材によって螺子の露出を防止できる。又この場合は、アタッチメント部材が浴室内に臨まれるため、浴槽や浴室壁面の色彩等に合わせてアタッチメント部材を選定することにより、浴室壁面等との整合性を得易いから、浴室雰囲気を害したり、体裁を悪くさせることがない。
【００２７】
又請求項２記載の本発明の場合は、出窓サッシの下枠の所定位置にバックサポート部材を設け、このバックサポート部材の下端部に出窓パネルの上部を接続させているものである。
【００２８】
従ってこれによれば、出窓側に背を向けて半身浴する際、入浴者は背や頭部をバックサポート部材で支承でき、快適に入浴できる。又この本発明の場合は、浴槽や浴室壁面の色彩等に合わせてバックサポート部材を選定することにより、多種多様な色合わせ等が容易にできるから、これによればその分、魅力的で商品価値の高い浴室を提供できる。
【図面の簡単な説明】
【図１】本発明浴室の好適な一実施形態を示す要部断面図である。
【図２】同上浴室の要部断面図である。
【図３】図２のIIIーIII線から見た断面図である。
【図４】同上浴室の要部断面図である。
【図５】取付金具の斜視図である。
【図６】取付金具の正面図である。
【図７】取付金具の底面図である。
【図８】バックサポート部材を備えた本発明の要部断面図である。
【図９】図８の本発明の要部分解断面図である。
【図１０】水漏れ防止用部材の斜視図である。
【符号の説明】
１    出窓サッシ
２    下枠
５    浴槽
６    浴槽パン
８    出窓パネル
１５  点検口
【図１】
0003539411.tif 000002
【図２】
0003539411.tif 000003
【図３】
0003539411.tif 000004
【図４】
0003539411.tif 000005
【図５】
0003539411.tif 000006
【図６】
0003539411.tif 000007
【図７】
0003539411.tif 000008
【図８】
0003539411.tif 000009
【図９】
0003539411.tif 000010
【図１０】
0003539411.tif 000011